(57)【特許請求の範囲】
【請求項１】
あらかじめ定められた規則により用途が決められた複数の保守情報を前記規則により定められた領域にそれぞれ格納する第１のオーバヘッド部および、複数の主信号を多重化してなる第１のペイロード部を含む第１の多重化信号を第１の伝送路から受信し、
新たに生成した前記複数の保守情報を第２のオーバヘッド部の前記規則により定められた領域に格納し、前記第２のオーバヘッド部および、多重化された前記第１のペイロード部を有する第２のペイロード部を含む第２の多重化信号を第２の伝送路へ送信する多重化信号の伝送方法において、
前記第１のオーバヘッド部から、前記複数の保守情報に含まれる第１の保守情報を抽出し、
前記規則により前記第１の保守情報と同じ用途に用いることを決められた第２の保守情報を新たに生成し、
前記第２の保守情報を、前記第２のオーバヘッド部の前記第２の保守情報を格納するよう前記規則により定められた第１の領域に格納し、
前記抽出された第１の保守情報を、前記第２のオーバヘッド部の前記第１の領域とは異なる第２の領域に挿入することを特徴とする多重化信号の伝送方法。
【請求項２】
請求項１に記載の多重化信号の伝送方法において、
前記抽出された前記第１の保守情報を、前記第２のオーバヘッド部の前記第２の領域に挿入できるように並べ替えることを特徴とする多重化信号の伝送方法。
【請求項３】
請求項１又は２に記載の多重化信号の伝送方法において、
前記規則は国際電気通信連合の勧告Ｇ．７０７あるいは米国標準化委員会の規格Ｔ．１０５に従い、前記第２の領域は、前記第２のオーバヘッド部のラインオーバヘッドに含まれる領域であることを特徴とする多重化信号の伝送方法。
【請求項４】
請求項１乃至３のいずれかに記載の多重化信号の伝送方法において、
前記第１の保守情報および前記第２の保守情報は、国際電気通信連合の勧告Ｇ．７０７あるいは米国標準化委員会の規格Ｔ．１０５に定めた保守情報であるＥバイト、Ｆバイト、Ｄバイト、Ｋバイト、Ｚバイトの少なくとも１つであることを特徴とする多重化信号の伝送方法。
【請求項５】
請求項１乃至４のいずれかに記載の多重化信号の伝送方法において、
前記第２のオーバヘッド部の前記第２の領域は、前記第２のオーバヘッド部内のあらかじめ用途が定められていない領域であることを特徴とする多重化信号の伝送方法。
【請求項６】
あらかじめ定められた規則により用途が定められた複数の保守情報を前記規則により定められた領域にそれぞれ格納する第１のオーバヘッド部および、複数の主信号を多重化してなる第１のペイロード部を含む第１の多重化信号を第１の伝送路から受信し、
新たに生成した前記複数の保守情報を第２のオーバヘッド部の前記規則により定められた領域に格納し、前記第２のオーバヘッド部および、多重化された前記第１のペイロード部を有する第２のペイロード部を含む第２の多重化信号を第２の伝送路へ送信する多重化信号の伝送方法において、
前記第１のオーバヘッド部に含まれる第１の保守情報を用いて前記第１の伝送路での第１の誤り数を検出し、
前記規則により前記第１の保守情報と同じ用途に用いることを決められた第２の保守情報を生成し、
前記第２の保守情報を、前記第２のオーバヘッド部の前記第２の保守情報を格納するよう前記規則で規定された第１の領域に格納し、
前記検出された第１の誤り数を前記第２のオーバヘッド部の前記第１の領域とは異なる第２の領域に挿入することを特徴とする多重化信号の伝送方法。
【請求項７】
請求項６に記載の多重化信号の伝送方法において、
前記第１の誤り数を、前記第２のオーバヘッド部の前記第２の領域に挿入するために並べ替えることを特徴とする多重化信号の伝送方法。
【請求項８】
請求項６又は７に記載の多重化信号の伝送方法において、
前記規則は国際電気通信連合の勧告Ｇ．７０７あるいは米国標準化委員会の規格Ｔ．１０５に従い、前記第２の領域は、前記第２のオーバヘッド部のラインオーバヘッドに含まれる領域であることを特徴とする多重化信号の伝送方法。
【請求項９】
請求項６乃至８のいずれかに記載の多重化信号の伝送方法において、
前記第１の保守情報および前記第２の保守情報は、国際電気通信連合の勧告Ｇ．７０７あるいは米国標準化委員会の規格Ｔ．１０５に定めたＢ２バイトもしくはＢ３バイトで処理される伝送路誤りに対応した情報であることを特徴とする多重化信号の伝送方法。
【発明の詳細な説明】
【０００１】
【発明の属する技術分野】
本発明は、ディジタル伝送装置の構成およびこれを用いた通信網の構成に係わり、特に高速同期ディジタルハイアラキーで使用するに好適な伝送装置の構成およびこれを用いた通信網の構成に関する。
【０００２】
【従来の技術】
今日のディジタル伝送網は、同期化の技術が発達して光伝送を用いるより高速な伝送装置と通信網も同期化されつつある。このディジタル同期伝送網および伝送装置の機能や構成は、世界的な規格が制定されており、この規格に従って伝送装置や通信網を導入することにより高品質な伝送がどことでも可能となる。具体的な規格の例を示すと、国際電気通信連合（以下、ＩＴＵ−Ｔと称する）が勧告Ｇ．７０７等で定めたエスディーエイチ（ＳＤＨ：Ｓｙｎｃｈｒｏｎｏｕｓ  Ｄｉｇｉｔａｌ  Ｈｉｅｒａｒｃｈｙ）と呼ばれる伝送システムに関する規格（１９８８年制定）、およびアメリカ標準化委員会（以下、ＡＮＳＩと称する）が規格Ｔ１．１０５で定めたソネット（ＳＯＮＥＴ：Ｓｙｎｃｈｒｏｎｏｕｓ  Ｏｐｔｉｃａｌ  Ｎｅｔｗｏｒｋ）と呼ばれる伝送システムに関する規格（１９９１年制定）が挙げられ、どちらも光同期通信システムの構成と伝送装置の機能を定めたものである。
【０００３】
上記ＳＤＨあるいはＳＯＮＥＴは、ディジタル化された主信号を多重化したペイロードと呼ばれる主信号部に伝送装置や通信網の監視保守運用を行うためのオーバヘッドと呼ばれる信号を付加した同期多重化信号（フレーム）を処理（伝送や多重分離）するもので、オーバヘッドにはポインタを備え、このポインタを用いてフレーム位相同期や周波数調整のスタッフ制御を行うことで、従来のディジタル同期伝送装置より伝送遅延が少なく監視保守運用能力に優れた伝送システムを提供するものである。図１および図２は、ＳＯＮＥＴで規定された多重化信号のフレーム構成を示したフレーム構成図であり、それぞれＯＣ−１２（６２２．０８ＭＨｚ）とＯＣ−１９２（９９５３．２８Ｍｈｚ）の多重化信号の構成を示している。また、図３は、多重化信号に含まれる各オーバヘッドバイトの機能を示す説明図である。これらの図において、１〜３６コラム（ＯＣ−１２）あるいは１〜５７６コラム（ＯＣ−１９２）の信号がオーバヘッド（各バイトの要とは、図３参照。また、未使用（未定義）バイトは、図１と図２において×で示してある。）であり、残りの部分が主信号を多重化したペイロード部である。図４は、ＳＤＨあるいはＳＯＮＥＴを用いた伝送網の構成とオーバヘッドの伝送区間を説明する網構成図である。図１や図２で示した多重化信号のオーバヘッドの内、１〜３行がセクションオーバヘッドと呼ばれ、伝送装置や中継器の間の伝送路区間（セクションと定義されている）毎の監視保守運用を行うオーバヘッドであり、ある装置（中継器を含む）で生成されたオーバヘッドは、伝送路を介して送信されると次の装置で終端される（図４（Ａ）の細い矢印参照）。また、オーバヘッドの内、５〜９行がラインオーバヘッドと呼ばれ、多重化された主信号を処理する伝送装置間の伝送区間（ラインと定義されている）毎の監視保守運用を行うオーバヘッドであり、ある伝送装置で生成されたオーバヘッドは、伝送路や中継器を介して送信されて次の伝送装置で終端される（図４（Ａ）の太い矢印参照）。尚、オーバヘッドの内、４行目のバイトはポインタである。このようなフレーム構成と機能は、いづれも上記の規格に規定されたものである。
【０００４】
そして、上記ＳＤＨあるいはＳＯＮＥＴを用いた伝送装置や網の構成の例としては、特開平４−７９６２８号公報や特開平５−１１４８９２号公報に示されたものがある。
【０００５】
【発明が解決しようとする課題】
図４（Ａ）で示した伝送網において、多重化装置Ｂ（２００１）と多重化装置Ｃ（２００４）との間は、リピータ２００２と２００３を中継してＯＣ−１２伝送路で接続されている。この多重化装置Ｂ（２００１）およびＣ（２００４）の間で監視保守運用のために、例えばデータコミュニケーションチャネルと呼ばれるＤバイトやオーダワイヤと呼ばれるＥバイトを送受信したい場合には、一方の多重化装置（例えばＢ）でラインオーバヘッドのＤ４〜１２バイトやＥ２バイトに関し保守運用に必要なデータや音声信号を挿入してＯＣ−１２伝送路に送信する。これらのラインオーバヘッドは、ＯＣ−１２伝送路とリピータを経由して対局側の多重化装置（同図ではＣ）で終端されるので多重化装置Ｂ（２００１）およびＣ（２００４）の間で監視保守運用が実施される。
【０００６】
しかし、上記伝送網において網の加入者が増えたり送受信する信号の量が増える場合、これに対応するために多重化装置を増設したり途中の伝送路をより高速な伝送路に交換したりする伝送網の増設や変更が実施される。この一例を示したものが図４（Ｂ）であり、通信量の増加に伴い多重化装置Ｂ（２００１）やＣ（２００４）に相当する多重化装置を増設する一方で（同図では簡略化のために、それぞれ１つだけ示した）、リーピタ２００２と２００３の代わりにこれらの複数個の多重化装置を収容して信号の処理を行う更に高速大規模な多重化装置Ｅ（２００８）とＦ（２００９）を導入して高速伝送路ＯＣ−１９２で接続した伝送網に変更した伝送網の構成を示している。
【０００７】
通信量の増加に伴い伝送網が図４（Ａ）から（Ｂ）に変更された場合、上述したようにＳＤＨやＳＯＮＥＴの規格ではラインオーバヘッドを伝送装置毎に終端する構成となっているため、多重化装置Ｅ（２００８）とＦ（２００９）の増設後（Ｂ）は、多重化装置Ｂ（２００１）からのオーバヘッドが多重化装置Ｅ（２００８）で終端され、多重化装置Ｃ（２００４）からのオーバヘッドが多重化装置Ｆ（２００９）で終端されてしまい、このままでは多重化装置増設前（Ａ）に多重化装置Ｂ（２００１）とＣ（２００４）との間でオーバヘッドを用いて行っていた監視保守運用ができなくなってしまう。すなわち、伝送網の構成変更により主信号の伝送能力は向上するが、今まで実施していた伝送装置間での監視保守運用ができなくなる等の伝送網の監視保守運用能力変更が発生するので、伝送網の保守者にとって今まで知り得た監視保守運用情報が入手できなくなるような状況が発生して保守者にとって不都合な場合が生じてしまう。
【０００８】
本発明の課題は、上述したような伝送網の構成変更に伴う監視保守運用能力の変化を防ぐことにあり、伝送網を変更しても監視保守運用能力が変わらない、あるいは、よりフレキシブルで性能に優れた監視保守運用が可能となる伝送装置および伝送網を簡単な構成で提供することにある。
【０００９】
具体的には、ＳＤＨやＳＯＮＥＴで規格化されたオーバヘッド処理の他に、オーバヘッドを通過させる機能も備えた伝送装置を提供することにある。また、このような伝送装置を用いて、伝送網における任意の伝送装置間で任意のオーバヘッドを送受信することが可能な、フレキシブルで監視保守運用性能に優れた伝送網とその構成運用方法を提供することにある。
【００１０】
さらに詳細には、ディジタル伝送装置において、受信したオーバヘッドを選択編集して他のディジタル伝送装置に送信する手段を簡単な構成で提供することにある。また、オーバヘッドを単純に通過させるだけでは相手側装置に情報を伝えることのできないオーバヘッドについては、オーバヘッドを相手側装置で利用できる情報に変換して伝える手段を簡単な構成で提供することにある。特に、オーバヘッドを送受信する伝送区間で発生した伝送誤りについては、誤り数を確実に伝えて伝送品質の管理を可能とする手段を簡単な構成で提供することにある。
【００１１】
そして、ディジタル伝送網において、選択された伝送装置間でオーバヘッドを選択編集して送受信する方法や伝送区間中で発生した伝送誤りを検出して伝える方法を提供することにある。
【００１２】
【課題を解決するための手段】
上述した課題を解決するために、本発明による多重化伝送装置は、複数個の主信号を多重化したペイロードと複数個の監視保守運用に関する保守情報を含むオーバヘッドバイトとからなる多重化信号を受信して保守情報の終端処理とペイロードの主信号の伝送処理を実施後、伝送処理された主信号を多重化したペイロードに複数個の監視保守運用に関する保守情報を含むオーバヘッドバイトを付加して送信する多重化伝送装置に、受信した多重化信号に含まれる複数個の保守情報から所定の保守情報を選択して送信側多重化信号のオーバヘッドバイトに挿入しすることで通過させる手段を備えた。
【００１３】
具体的には、上記多重化伝送装置に受信した多重化信号に含まれる複数個の保守情報から所定の保守情報を抽出する手段と抽出された保守情報を送信側多重化信号のオーバヘッドバイトの所定の位置に挿入する挿入手段とからなる保守情報を通過させるオーバヘッド通過手段を備えた。尚、この通過手段に抽出された保守情報を編集する編集手段を備えても良い。
【００１４】
また、上記多重化伝送装置は、ペイロードと複数個の監視保守運用に関する保守情報を含むオーバヘッドバイトとからなる多重化信号を複数本受信して複数個の保守情報の終端処理と複数のペイロードをさらに多重度の大きいペイロードへの多重化を行い、この大きなペイロードに複数個の監視保守運用に関する保守情報を含む送信側より大きなサイズのオーバヘッドバイトを付加した多重化信号に変換して送信するもので、複数個の保守情報から所定の保守情報を抽出する手段と抽出手段で抽出した情報を編集する編集手段と編集手段の出力をオーバヘッドバイトの所定の位置に挿入する挿入手段とからなる保守情報を通過させるオーバヘッド通過手段を備え、複数個の伝送路から受信される保守情報をまとめて転送通過させる多重化伝送装置とした。また、この多重化伝送装置の逆方向のものは、同様に、複数個の保守情報から所定の保守情報を抽出する手段と抽出手段で抽出した情報を編集する編集手段と編集手段の出力をオーバヘッドバイトの所定の位置に挿入する挿入手段とからなる保守情報を通過させるオーバヘッド通過手段を備え、保守情報がまとまり転送通過してきた信号を受信すると、これらの信号を抽出編集して複数個の伝送路のオーバヘッドバイトの規定の位置に挿入して送信する多重化伝送装置とした。
【００１５】
ここで、上述した各多重化伝送装置は、国際電気通信連合の勧告Ｇ．７０７あるいは米国標準化委員会の規格Ｔ．１０５に定めた多重化信号を扱うものであり、通過させる保守情報はセクションオーバヘッドとラインオーバヘッドに含まれるもので、これらの情報を多重化信号のラインオーバヘッドに入れて転送する構成とした。しかも、このような多重化装置を直結する場合には、セクションオーバヘッドも用いてより多くの保守情報を通過転送する構成とした。尚、上記規格で定められたＥバイト、Ｆバイト、ＤバイトＫバイト、Ｚバイトを保守情報として通過させる場合、これらのバイトをそのまま選択して通過させる構成とした。
【００１６】
一方、上記規格で定められたＢバイトのような伝送路の誤りに関する情報を通過させる構成として、受信伝送路での誤り発生数を検出すると、この誤り発生数を多重化信号のオーバヘッドバイトに挿入して伝送路誤り数を転送する手段を備えた。そして、転送された保守情報を受信する多重化伝送装置では、伝送路誤り数を抽出する手段と、抽出された伝送路誤り数とこの装置で検出された伝送路誤り数を加算する手段と、この加算結果をさらにオーバヘッドに挿入して転送する、あるいは、本多重化伝送装置で送信する他の伝送装置の誤り検出用信号に加算結果だけ予め伝送路誤りを付加して送信する伝送路誤り送信手段とを備えた。尚、途中の多重化伝送装置は、上記抽出する手段で抽出した伝送路誤り数をそのまま転送する構成として、最終段の多重化装置に上記誤りに関する情報を転送する伝送区間で発生した伝送誤り数を検出手段と伝送路誤り数を抽出する手段と抽出された伝送路誤り数と検出手段で検出された伝送路誤り数を加算する手段と本多重化伝送装置で送信する他の伝送装置の誤り検出用信号に加算結果だけ予め伝送路誤りを付加して送信する伝送路誤り送信手段とを備える構成としても良い。
【００１７】
さらに課題を解決するために、本発明による多重化伝送網は、多重化伝送装置に上述のような装置を用い、任意の多重伝送装置間の途中の多重化装置で任意の保守情報を通過させ、前記任意の多重化伝送装置同士で任意の保守情報を送受信する構成の多重化伝送網とした。
【００１８】
【発明の実施の形態】
本発明による伝送装置の実施形態および伝送装置を用いた伝送システムあるいはネットワークの実施形態について、以下、図面を用いながら詳細に説明する。本発明の実施の形態では、主にＳＯＮＥＴで使用される伝送装置と伝送システムを例に挙げて説明するが、ＳＤＨを用いる伝送装置や伝送システムの場合も同じであり、従来の伝送システムでは装置毎に伝送フレームのオーバヘッドが終端されてしまうものに対して、伝送装置にオーバヘッドを通過させる機能を備えて伝送システム内の所望の装置間でオーバーヘッドの送受信を可能とすることで、伝送システムの監視保守運用能力を向上させることができる伝送装置の実施形態とその多重化装置を用いた伝送システムの実施形態について説明するものである。
【００１９】
図５は、本発明による多重化装置の実施形態を示すブロック構成図である。本発明の多重化装置は、複数個のオーバヘッドと多重化された主信号からなる低速の多重化信号と１個のオーバヘッドと多重化された主信号からなる高速の多重化信号を収容し、各多重化信号のオーバーヘッドの終端や付け替え等の処理を行うとともに複数個の低速の多重化された主信号と１個の高速の多重化された主信号間の多重分離を実施する装置であり、例えば、低速多重化信号として１６本のＯＣ−１２（６２２．０８ＭＨｚ：図１参照）を収容し、高速多重化信号ＯＣ−１９２（９９５３．２８ＭＨｚ：図２参照）との間でＳＯＮＥＴで規定された主信号の多重分離とオーバーヘッドの処理を実施する一方で、本発明による装置に入力された多重化信号のオーバーヘッドを他の多重化装置で使用するために通過させるものである。もちろん、上記説明は一例であり、収容する多重化信号の速度が、ＯＣ−０〜１９２あるいはＳＤＨで規定された速度等の他の速度であっても構わないし、収容する多重化信号の数は、収容する多重化信号の種類により変えることができるものである。
【００２０】
図５において、本発明の多重化装置は、Ｍ組の低速の多重化信号を入出力してオーバヘッドと主信号の処理を行う低速信号送信／受信ユニット１０−１〜１０−Ｍと、高速の多重化信号を入出力してオーバヘッドと主信号の処理を行う１組の高速側送信／受信ユニット１１と、低速多重化信号の主信号と高速多重化信号の主信号との多重分離変換を行う主信号多重分離変換部１００と、低速多重化信号と高速多重化信号との間で各信号に含まれるオーバーヘッドを他の多重化装置で使用できるように編集して通過させる本発明によるオーバヘッド処理部３００（３００−１、３００−２）と、本多重化装置全体の制御を行う制御部４００とから構成し、信号の多重分離変換とオーバヘッド処理を行うものである。
【００２１】
より詳細には、低速信号送信／受信ユニット１０−１〜１０−Ｍのそれぞれには、低速信号の受信と受信セクションオーバヘッドの処理を行い、かつ、一部のセクションオーバヘッドバイトを通過させ他の伝送装置や多重化信号の送受信ユニットに送信するためにセクションオーバヘッドバイトを抜き取るＳＯＨ（セクションオーバヘッド）終端部２０−１〜Ｍと、受信ラインオーバヘッドの処理を行い、かつ、一部のラインオーバヘッドバイトをラインオーバヘッドと同様に抜き取るＬＯＨ（ラインオーバヘッド）終端部３０−１〜Ｍと、送信ラインオーバヘッドバイトの付与を行い、かつ、一部の他の伝送装置や多重化信号の送受信ユニットから送信されてきたラインオーバヘッドバイトの挿入を行うＬＯＨ挿入部８０−１〜Ｍと、送信セクションオーバヘッドバイトの付与を行い、かつ、一部の他の伝送装置や多重化信号の送受信ユニットから送信されてきたセクションオーバヘッドバイトの挿入と低速信号の送信を行うＳＯＨ挿入部９０−１〜Ｍとを備え、高速側送信／受信ユニット１１には、低速信号送信／受信ユニットと同様な、高速信号のＳＯＨ終端部６０と、ＬＯＨ終端部７０と、ＬＯＨ挿入部４０と、ＳＯＨ挿入部５０とを備える構成とした。また、オーバヘッド処理部３００−１と３００−２のそれぞれは、各多重化信号の送信／受信ユニット（１０−１〜１０−Ｍ、１１）から抜き取られたオーバヘッドを収集するオーバヘッド多重化部１１０，１３０と、収集されたオーバヘッドを他の伝送装置や多重化信号の送受信ユニットに送るために所定の規則で編集する空間スイッチ部２００，２１０と、編集されたオーバヘッドを各多重化信号の送信／受信ユニット（１０−１〜１０−Ｍ、１１）のＬＯＨ挿入部とＳＯＨ挿入部に振り分けるオーバヘッド分離部１２０，１４０とから構成した。この構成により、低速多重化信号と高速多重化信号を収容して主信号の多重分離を行うとともに、本多重化装置を使用する伝送システムで予め定めたオーバヘッドを通過させたり処理（終端／付与）したりすることで、所望の伝送装置間でのオーバヘッドの使用可能として監視保守運用能力に優れた、使い勝手の良いシステム構成に柔軟性を持たせることが可能な多重化装置を提供するものである。
【００２２】
以下、高速多重化信号をＯＣ−１９２、低速多重化信号をＯＣ−１２（１６本）を収容する多重化装置において、低速信号の内１５本の多重化信号のオーバヘッド（オーダーワイヤＥ１，Ｅ２、データチャネルＤ１〜Ｄ１２、伝送路切替制御バイトＫ１，Ｋ２、ライン間（装置間）誤り監視バイトＢ２）を通過させ、低速多重化信号を使用する１５対の伝送装置間（図４（Ｂ）で示した多重装置Ｂ−Ｃ間）で使用する場合を例に挙げ、本発明の多重化装置の構成と動作および伝送システムの動作について説明する。
【００２３】
図６と図７は、本実施形態の多重化装置で用いる低速信号のオーバヘッドを通過させる高速信号のオーバヘッドの構成を示すオーバヘッド構成図であり、図６にオーバーヘッドの全体構成と一部詳細構成を示し、図７に残りの詳細構成を示したものである。
【００２４】
先ず、低速多重化信号を受信して高速多重化信号に変換後、この高速多重化信号を送信する多重化側の動作を説明する。
【００２５】
低速信号送信／受信ユニット１０−１〜ＭのそれぞれのＳＯＨ終端部２０−１〜ＭとＬＯＨ終端部３０−１〜Ｍは、受信した多重化信号のオーバーヘッドを通常の多重化装置と同様に終端処理して主信号を主信号多重分離変換部１００に送出する。ここで通常の終端処理とは、本多重化装置と対向する多重化信号送信側の伝送装置との間のセクションやライン間の正常性をチェックしたりするもので、Ａバイトで多重化信号の同期を取ったり、Ｂ１バイトで信号の誤りをチェックしたりするもので、例えばＡＮＳＩ  Ｔ．１０５で定められたオーバヘッドにより装置間あるいは伝送線路間の監視保守運用に関する処理を行うものである。また、主信号は、主信号多重分離変換部１００で予め定められた多重化則（例えは、図１から図２へのマッピング）により高速信号の主信号に多重化される。一方、本発明の多重化装置では、これらのオーバヘッドの一部を所望の伝送装置間で使用するために通過させるので、ＳＯＨ終端部２０−１〜ＭとＬＯＨ終端部３０−１〜Ｍは、受信したオーバヘッド（Ｂ２バイト以外）をそのまま分岐するようにしてオーバヘッド処理部３００−１に送信する。また、Ｂ２バイトについては、後述するように単純には通過させることができないので、ＬＯＨ終端部３０−１〜Ｍのそれそれで通常のＢ２バイト終端処理として検出されたライン区間での誤り数を符号化した信号をオーバヘッド処理部３００−１に送信する。
【００２６】
オーバヘッド処理部３００−１は、本多重化装置で受信したオーバヘッドの一部を通過させ他の伝送装置に送信するために、オーバヘッドを選択して送信する多重化信号のオーバヘッドの未使用領域に挿入する編集と処理を行うもので、オーバヘッド多重化部１１０は、低速信号送信／受信ユニット１０−１〜Ｍのそれぞれから送信されるオーバヘッドを収集するものである。具体的には、低速多重化信号がＯＣ−１２で１６本収容される場合であれば、各低速信号送信／受信ユニット１０−１〜Ｍのそれぞれから図１で示したフォーマットでオーバヘッドが送られてくるので、マルチプレクサを用いて各ユニットに順次アクセスすることで、各ユニットからの通過させるオーバーヘッドを選択してオーバヘッドの種類ごとに纏めてしまうような多重化を行う。一例を挙げれば、各低速多重化信号の６行１コラムにあるＤ４バイト（図１参照）を纏めて高速多重化信号の６行５コラムから６１コラムにいれて（図６、１０００、１００２参照）通過させるように、低速多重化信号のオーバヘッドを種類毎に纏めて高速多重化バイトの未使用バイトの中に挿入するので、各ユニットを順次アクセスしてオーバヘッドを種類毎に集めてしまう。すなわち、上記例なら、各低速多重化信号のＤ４バイトだけを纏めてしまうような多重化を行うものである。尚、各低速多重化信号の位相が異なっても多重化できるようにマルチプレクサの入力側にバッファを備えても良いし、各ユニットでこのオーバヘッド多重化部１１０に送出する信号の位相をそろえても良い。また、Ｂ２バイトに関しては、ＬＯＨ終端部で処理後の信号を受信するように説明したが、Ｂ２バイトそのものをＬＯＨ終端部から受信して上記処理をこのオーバヘッド多重化部１１０で実施する構成としても良い。
【００２７】
空間スイッチ部２００は、オーバヘッド多重化部１１０から送られてくるオーバヘッドバイトをさらに並べかえるように編集するものである。本実施形態では空間スイッチを用いたが、時間スイッチであってももちろん構わない。いずれのスイッチであっても各低速多重化信号から受信したオーバヘッドを高速多重化信号の未使用バイトの予め定められたバイトに挿入できるように、オーバヘッドを選択したり順序を入れ替えたりする編集ができるものであれば良い。具体的には、本実施形態は、１６本の低速多重化信号ＯＣ−１２から１５本の多重化信号（１〜１５）のオーバヘッドを通過させるものであり、空間スイッチ２００は、オーバヘッド多重化部１１０出力のなかから多重化信号（１〜１５）の通過させるオーバヘッドだけ（オーダーワイヤＥ１，Ｅ２、データチャネルＤ１〜Ｄ１２、伝送路切替制御バイトＫ１，Ｋ２、ライン間（装置間）誤り監視バイトＢ２）を選択して通過させる（図６、図７の１０００〜１００４、１１００〜１１０７、１２００〜１２０８参照）。また、図１で示したように、低速多重化信号ではＤ４バイトより先頭フレーム側にあったＤ１バイトが多重化装置通過後の高速多重化信号においてはＤ４バイトより後に挿入される（図６の１０００、１００１、１００４参照）。すなわち、空間スイッチ２００は、オーバヘッド領域の未使用バイトの予め指定されたバイトに指定された種類のオーバヘッドが挿入できるように通過させるオーバヘッドの順序の入れ替えも行う。
【００２８】
オーバヘッド分離部１２０は、空間スイッチ部２００からオーバヘッドバイトが送られてくるので、デマルチプレクサを用いてこのオーバヘッドをセクションオーバヘッドとラインオーバヘッドに分離したり、図６と図７で示した高速多重化信号のオーバヘッド領域で予め定められたバイトに挿入されるように分離して高速信号送信／受信ユニット１１に転送する。一例として低速信号のＤ４バイトを挙げると、図６の１０００と１００２で示したように、各低速多重化信号のＤ４バイトが高速多重化信号のオーバヘッド領域の６行５コラムから４コラムごとに６１コラムまでに挿入されるように各低速多重化信号のＤ４バイトを分離するものである。
【００２９】
高速信号送信／受信ユニット１１は、ＳＯＨ挿入部５０とＬＯＨ挿入部４０により通常の多重装置と同様に送信側伝送路のセクション区間とライン区間で使用するオーバヘッドバイトを生成する一方で、オーバヘッド分離部１２０から受信した低速信号受信部で抜き取られたオーバヘッドを図６と図７に示すように高速信号のラインオーバヘッドの予め定められた未使用バイトに挿入して送信すべきオーバヘッドを作成し、主信号多重分離変換部１００で多重化された高速信号の主信号に付加した高速多重化信号を送信する。尚、本実施形態では、途中の伝送路に中継器があると、この中継器でセクションオーバヘッドが終端されてしまうので、ラインオーバヘッド領域だけに前記低速信号受信部から抜き取られたオーバヘッドを挿入してある。もちろん、途中の伝送路に中継器等がなくてセクションオーバヘッドが送信先の伝送装置まで終端されない場合であれば、このセクションオーバヘッド領域の未使用バイトを使用して良い。この場合、更に多数の低速多重化信号のオーバヘッドを通過させることができる。
【００３０】
次に、高速多重化信号を受信して低速多重化信号に変換後、この低速多重化信号を送信する分離化側の動作を説明する。
【００３１】
高速信号送信／受信ユニット１１のＳＯＨ終端部６０とＬＯＨ終端部７０は、低速信号送信／受信ユニット１０と同様に、受信した多重化信号のオーバーヘッドを通常の分離化装置と同様に終端処理して主信号を主信号多重分離変換部１００に送出する。この主信号は、主信号多重分離変換部１００で低速信号の主信号に分離化される。一方、受信したオーバヘッドには、送信側の伝送装置から送信された所望の伝送装置間で使用するために通過させるオーバヘッドが挿入されているので、ＳＯＨ終端部６０とＬＯＨ終端部７０は、受信したオーバヘッドをそのまま分岐するようにしてオーバヘッド処理部３００−２に送信する。
【００３２】
オーバヘッド処理部３００−２は、受信したオーバヘッドの一部を通過させ他の伝送装置に送信するために、オーバヘッドを選択して送信する各低速多重化信号のオーバヘッドの規定の位置に挿入する編集と処理を行うもので、多重化側のオーバヘッド処理部３００−１と同様な処理を、処理方向を逆にして分離化側で行うものである。すなわち、オーバヘッド多重化部１３０は、高速信号送信／受信ユニット１１で受信した他の伝送装置を通過したオーバヘッドを収集し、空間スイッチ部２１０は、オーバヘッド多重化部１３０から送られてくるオーバヘッドバイトをさらに並べかえるように編集する。また、オーバヘッド分離部１４０は、空間スイッチ部２１０から送られたオーバヘッドをセクションオーバヘッドとラインオーバヘッドに分離したり、図１で示した低速多重化信号のオーバヘッド領域の規定バイトに挿入されるように分離して各低速信号送信／受信ユニット１０−１〜Ｍに転送する。
【００３３】
Ｍ組の低速信号送信／受信ユニット１０−１〜Ｍ低速信号送信／受信ユニットのそれぞれは、ＳＯＨ挿入部８０−１〜ＭとＬＯＨ挿入部９０−１〜Ｍにより通常の多重装置と同様に送信側伝送路のセクション区間とライン区間で使用するオーバヘッドバイトを生成する一方で、オーバヘッド分離部１４０から受信した高速信号受信部で抜き取られたオーバヘッドを図１に示すように低速信号のラインオーバヘッドの規定に挿入して送信すべきオーバヘッドを作成し、主信号多重分離変換部１００で分離された低速信号の主信号に付加した低速多重化信号を低速側伝送路に送信する。
【００３４】
ここで、本発明による受信したオーバーヘッドを他の伝送装置に通過させることが可能な伝送装置におけるＢ２バイトの通過処理について、上記実施形態で用いた多重化装置を用いて説明する。
【００３５】
図８は、ＳＯＮＥＴあるいはＳＤＨで使用される伝送装置におけるライン区間の伝送誤りを検出するＢ２バイトの計算領域を説明する動作説明図である。ＳＯＮＥＴあるいはＳＤＨで使用される伝送装置は、多重化信号の遅延を小さくするために図１に示したようなオーバヘッド領域にあるポインタ（４行目のＨバイト）を用いて多重化信号の位相を識別して多重分離等の信号処理を行う装置で、各伝送装置では、多重化信号を形成するフレームに対してポインタを付け替えてフレームの再識別を行うだけで従来の伝送装置のような装置毎のフレーム位相調整を行わない。このため、図８に示したように、ポインタ付け替えにより受信した多重化信号のＢ２計算領域と送信する多重化信号のＢ２計算領域がずれてしまうので、受信したＢ２バイトを他のオーバヘッドバイトと同様に通過させても、オーバヘッドを受信する伝送装置では受信Ｂ２バイトによる誤りを正しく検出できない。
【００３６】
すなわち、上述したように、Ｂ２バイトを直接通過させることはできないので、本多重化装置の多重化側では、低速信号送信／受信ユニットのＬＯＨ終端部３０−１〜ＭのそれぞれでＢ２バイトを読み取りエラー検出数を求め（終端して）、このエラー検出数（以下の説明でｊとする）をコード化した信号を通過させて相手側の伝送装置に伝える構成としたものである。具体的には、各低速多重化信号のＢ２バイト（図１：５行１〜１２コラム）を終端して作成した信号（誤り数ｊ）を高速多重化信号のオーバヘッド領域の未使用バイト（図７、１１０３）に挿入して送信する構成とした。
【００３７】
一方、本多重化装置の分離化側では、送信側から送られてきた誤り数ｊを他のオーバヘッドバイトと同様にそのまま相手側の装置に送ったのでは、本来規定されたＢ２バイトの構成とは異なる信号が送信されるので、相手側の装置では誤り数を検出できない。さらに、送受信したいのは、所望の伝送装置間（図４（Ｂ）の伝送装置Ｂ−Ｃ間）の伝送路で発生した誤り数であり、ｊの値には、本多重化装置間の伝送路で発生した誤り数は含まれていないので補正も必要となる。従って、本実施形態の多重化装置の分離化側では、Ｂ２バイトの処理に関して上述した説明の他に以下の処理を行う構成とした。
【００３８】
先ず、高速信号送信／受信ユニット１１のＬＯＨ終端部７０は、本多重化装置間の伝送誤りを検出するＢ２バイト（これは、もともとの高速多重化信号に規定されたものであり、図２と図６の構成図において５行１〜１９２コラムにあるＢ２バイト）を読み取りエラー検出数ｉを求める（終端する）。また、ＬＯＨ終端部７０は、高速信号のラインオーバヘッド（図６、１１０３）からコード化されたエラー検出数ｊを分離してｉとｊの和ｋを計算する。
【００３９】
次に、オーバヘッド処理部３００−２のオーバヘッド多重化部１３０は、このｋ値を多重化して空間スイッチ部２１０に転送する。空間スイッチ部２１０は、これらのオーバヘッドバイトを低速信号送信／受信ユニット単位で並べかえる。オーバヘッド分離部１４０は、空間スイッチ部２１０から送られたオーバヘッドバイトをセクションオーバヘッドとラインオーバヘッドに分離して、各々  Ｍ組の低速信号送信／受信ユニット１０−１〜Ｍに転送する。
【００４０】
そして、ＬＯＨ挿入部８０−１〜Ｍは、ここで送信する１フレームのＢ２パリティを生成した後、ｋの値に相当する分だけビット反転させ、低速信号のオーバヘッドとしてＢ２バイトを挿入して低速側伝送路に伝送することで、相手側の伝送装置で誤りの検出を可能とさせる。もちろん、これら分離化側でのＢ２バイト操作も多重化側と同様に、上記ｋの演算をオーバヘッド多重化部１３０で行う構成としても、あるいは、ＬＯＨ挿入部８０−１〜Ｍで纏めて演算とビット反転を行う構成としても良い。
【００４１】
上述した本発明の伝送装置の実施形態である多重化装置においては、図示しない網管理装置等からシステム構成に関する情報を受信すると、制御部４００がオーバヘッド処理部３００や多重化信号送信／受信ユニット１０−１〜Ｍや１１等の設定を行うことにより、通過させる本装置を通過させるオーバヘッドの種類やオーバヘッドを挿入する未使用バイトの位置を選択できる構成とした。
【００４２】
図９は、本発明の多重化装置を用いた伝送ネットワークの構成例を示す網構成図であり、図４（Ｂ）で示した網構成図の増設多重化装置Ｅ、Ｆとして、図５で示した上述の多重化装置を用いた場合の網構成を詳細に示したものである。尚、同図は、多重化装置Ｂから多重化装置Ｃへのオーバヘッド送信を例にしたもので、本発明の多重化装置は、それぞれ各多重化装置に必要な多重化側と分離化側だけを示してある。
【００４３】
本発明の多重化装置を用いた伝送ネットワークは、主信号を多重化して低速伝送路５００に低速多重化信号を送信する多重化装置Ｂ２００１と、低速多重化信号をさらに多重化して高速信号伝送路５０１に高速多重化信号を送信する多重化装置Ｅ２００６と、高速信号伝送路５０１から受信した高速多重化信号を分離化して低速信号伝送路５０２に低速多重化信号を送信する多重化装置Ｆ２００７と、低速多重化信号をさらに低速の主信号に分離化する多重化装置Ｃ２００４からなり、多重化装置Ｂ２００１で処理する主信号を多重化装置Ｃ２００４に伝送するとともに、多重化装置Ｂ２００１とＣ２００４との間で低速多重化信号のオーバヘッドも伝送して伝送システムの監視保守運用を行うものである。
【００４４】
より詳細には、多重化装置Ｂ２００１が主信号を多重化してオーバヘッドを付加した低速多重化信号を低速信号伝送路５００に送信すると、多重化装置Ｅ２００６は、低速多重化信号のオーバヘッドの終端と主信号の多重化と高速多重化信号のオーバヘッドの生成を行う一方で、本発明の特徴であるオーバーヘッド通過処理を行う。この通過処理は、図５〜図７を用いて先に説明したように、低速信号のＳＯＨ終端部２０およびＬＯＨ終端部３０と、オーバヘッド多重化部１１０と空間スイッチ２００とオーバヘッド分離部１２０からなるオーバヘッド処理部３００−１と、高速信号のＬＯＨ挿入部４０およびＳＯＨ挿入部５０とにより、制御部４００で指定された低速多重化信号のオーバヘッドを選択編集して高速多重化信号のオーバヘッドの指定された位置に挿入（図６、図７参照）することで行われる。指定されたオーバヘッドにＢ２バイトが含まれる場合は、上述したようなＢ２バイト処理も行われる。
【００４５】
通過させるオーバヘッドを含んだ高速多重化信号を高速伝送路５０１を介して多重化装置Ｅ２００６から受信した多重化装置Ｆ２００７は、高速多重化信号のオーバヘッドの終端と主信号の分離化と低速多重化信号のオーバヘッドの生成を行う一方で、本発明の特徴であるオーバーヘッド通過処理を行う。この通過処理は、先に説明したように多重化装置Ｅ２００６の通過処理と逆の処理を行うものであり、高速信号のＳＯＨ終端部６０およびＬＯＨ終端部７０と、オーバヘッド多重化部１３０と空間スイッチ２１０とオーバヘッド分離部１４０からなるオーバヘッド処理部３００−２と、低速信号のＬＯＨ挿入部８０およびＳＯＨ挿入部９０とにより、制御部４００で指定された高速多重化信号に含まれる通過させる低速多重化信号のオーバヘッドを選択編集して低速多重化信号のオーバヘッドの規定された位置に挿入することで行われる。指定されたオーバヘッドにＢ２バイトが含まれる場合は、上述したようなＢ２バイト処理も行われる。
【００４６】
以上の構成と動作により、多重化装置Ｂ−Ｃ間に他の多重化装置Ｅ，Ｆが挿入されている伝送ネットワークであっても、多重化装置ＢーＣ間において、主信号の伝送の他に、低速多重化信号のオーバヘッド伝送が多重化装置Ｅ，Ｆで終端されることなく伝送される。
【００４７】
本発明の伝送装置は、以上の実施形態で説明した構成と動作により多重化信号の任意のオーバヘッドを通過させることができる。すなわち、図４（Ａ）で示したような伝送システムを図４（Ｂ）で示したような新システムに変更する場合でも、新しく追加する多重化装置に本実施形態で示した多重化装置を用いれば、システム変更前に多重化装置Ｂ−Ｃ間で使用していたオーバヘッドは、新たな多重化装置で終端されることなく通過するので、変更後のシステムの多重化装置Ｂ−Ｃ間でも使用できる。したがって、システム構成の変更による多重化装置間の監視保守運用能力変化は生じない。また、所望の伝送装置間でのオーバヘッドの使用可能となるので、監視保守運用能力に優れた使い勝手の良い、システム構成に柔軟性を持たせることが可能な多重化装置を提供できる。
【００４８】
さらに、本発明による伝送装置の別の実施形態および伝送装置を用いた伝送システムあるいはネットワークの実施形態について、以下、図面を用いながら詳細に説明する。
【００４９】
図１０は、本発明による伝送装置であるアッドドロップ多重化装置（以下、ＡＤＭと称する）の実施形態を示すブロック構成図である。また、図１１は、本発明のＡＤＭを用いた伝送ネットワークの構成例を示す網構成図である。
【００５０】
本発明のＡＤＭは、複数個のオーバヘッドと多重化された主信号からなる低速の多重化信号と２個のオーバヘッドと多重化された主信号からなる高速の多重化信号を収容し、各多重化信号のオーバーヘッドの終端や付け替え等の処理を行うとともに複数個の低速の多重化された主信号を高速の多重化された主信号に挿入（アッド）したり高速の多重化された主信号から複数個の低速の多重化された主信号を分岐（ドロップ）したり高速の多重化された主信号同士の入れ替え（クロスコネクト）や通過（スルー）を実施する多重分離装置であり、先の実施形態と同様に、例えば、低速多重化信号をＯＣ−１２、高速多重化信号をＯＣ−１９２として、ＳＯＮＥＴで規定された上記主信号の処理とオーバーヘッドの処理を実施する一方で、本発明による装置に入力された多重化信号のオーバーヘッドを他の伝送装置で使用するために通過させるものである。そして、本ＡＤＭを用いる伝送ネットワークは、図１１で示したように、ＡＤＭ同士を高速伝送路（ＯＣ−１９２）で階段状（図１１（Ａ））あるいはループ状（図１１（Ｂ））に接続するとともに、ＡＤＭの低速伝送路（ＯＣ−１２）多重化装置等の伝送装置を接続するように構成して、ＡＤＭで上記のような主信号の処理を行うことで伝送装置間の主信号送受信を行う他に本発明によるオーバヘッドの通過処理により任意の伝送装置間で任意の低速多重化信号のオーバヘッド送受信も行うことで、オーバヘッドを主信号と同様に網内の伝送装置間で自在に送受信させる、監視保守運用能力に優れた柔軟性のある伝送システムを構築する。
【００５１】
本ＡＤＭの構成は、先に説明した多重化装置とほぼ同じであり、主信号に対して上記アッド・ドロップ・クロスコネクト・スルーを行うための主信号挿入分離部１０５を加え、他の機能ブロックは、先の多重化装置と同じもの（図１０で図６と同じ機能ブロックは同一参照番号を付与してある）を用いてその配置と数をＡＤＭ用に変化させた構成である。以下の説明では、先の多重化装置と異なる箇所についてのみ説明する。
【００５２】
高速信号送信／受信ユニット１１は、本ＡＤＭが高速伝送路でＡＤＭ同士を接続するように用いられるので（図１１参照）、両側のＡＤＭに接続するようＷＥＳＴ側１１−１とＥＡＳＴ側１１−２の２個の高速信号送信／受信ユニット１１を備えた。そして、上記主信号処理を行うために、これらの高速信号送信／受信ユニット１１−１および１１−２と低速信号送信／受信ユニット１０−１〜Ｍ１とを接続したり高速信号送信／受信ユニット１１−１および１１−２同士を接続できるように、高速信号送信／受信ユニット１１−１および１１−２と主信号多重分離変換部１００との間に主信号挿入分離部１０５を付加した。
【００５３】
また、本ＡＤＭでは、高速多重化信号のオーバヘッド同士も通過させるように、オーバヘッド処理部３００の空間スイッチ部２００で、一方（例えばＥＡＳＴ側）高速信号送信／受信ユニットからオーバヘッド多重部１３０経由で受信した通過すべきオーバヘッドを選択編集してオーバヘッド分離部１２０を介して他方の（例えばＷＥＳＴ側）高速信号送信／受信ユニットに送信して、高速多重化信号のオーバヘッドの指定されたバイトに挿入する構成とした。
【００５４】
さらに、高速多重化信号間で通過させるオーバヘッドにＢ２バイトに関する情報が含まれる場合、高速信号送信／受信ユニット１１のＬＯＨ挿入部４０では、先の多重化装置の低速信号送信／受信ユニット１０のＬＯＨ挿入部８０で行っていたようなＢ２バイトのビット反転操作を行わずに受信高速伝送路で発生した誤り数ｉ（Ｂ２バイト終端結果）を受信した誤り数ｊに加算した誤り数ｋをそのまま送る構成にした。また、このオーバヘッド送受信区間での伝送誤りの検出を行う構成としては、後で説明するタンデムコネクションを利用する構成を採用しても良い。
【００５５】
尚、本ＡＤＭにおいても、制御部４００が各機能ブロックに対して通過させるべきオーバヘッドの種類や挿入する位置を指示して、各機能ブロックがこれらのオーバヘッドの編集・選択・挿入を行う構成である。また、制御装置は、図１１で示した網管理装置２０１７から上記制御情報を受ける構成とした。すなわち、網管理装置２０１７が、各ＡＤＭに対して通過させるオーバヘッドの種類や挿入すべき位置を衝突や矛盾が起こらないように適当に指示すれことでオーバヘッドを主信号と同様に網内の伝送装置間で自在に送受信させる構成とした。
【００５６】
上述のように、本実施形態で示したＡＤＭとそれを用いた伝送ネットワークあるいは伝送システムでも、本発明によれば、オーバヘッドを任意の伝送装置で通過させ、任意の伝送装置間で使用できる。したがって、システム構成の変更による監視保守運用能力変化が生じない、すなわち、監視保守運用能力に優れた柔軟性のある使い勝手の良い伝送システムを提供できる。
【００５７】
以下では、オーバヘッドを送受信する伝送装置間の伝送区間で発生した伝送誤りを検出する構成について、上記実施形態で説明した構成とは異なる他の実施形態について説明する。これは、ＳＯＮＥＴやＳＤＨを用いる伝送システムの構成でＡＮＳＩやＩＴＵ−Ｔで規格化されたタンデムコネクションを利用してオーバヘッド送信伝送装置から受信伝送装置で発生した伝送誤りを通知するもの、すなわち途中の伝送装置においてＢ２バイトを通過させるのと等価なものである。従って、上述した多重化装置やＡＤＭにおいては、いずれの構成を用いても良い。
【００５８】
図１２は、タンデムコネクションを利用して伝送誤りを検出する構成を説明する動作説明図である。尚、同図（Ａ）が本構成であり、同図（Ｂ）には、先の多重化装置やＡＤＭで説明した伝送誤りを検出する構成を示してある。また、図１３は、タンデムコネクションを用いる伝送網の構成を示す網構成図である。以下、これらの図面を用いて、今までに説明した実施形態と比較しながら、本発明によるタンデムコネクションを利用して伝送誤りを検出する構成を説明する。
【００５９】
今までに説明した実施形態は、図１２（Ｂ）に示したように、ある伝送装置でＢ２バイトを通過させて他の伝送装置間でＢ２バイトを用いた伝送区間の誤り検出を行うために、Ｂ２バイトを通過させる伝送装置においては、ライン区間のＢ２バイトの終端と誤り数ｉの検出と送信元伝送装置から通知された誤り数ｊの加算と加算された誤り数ｋの送信を伝送装置毎に行う構成とし、オーバヘッドを通過させる最終伝送装置で最終的に加算された誤り数（同図ではｋ‘とした）だけ最終伝送装置で生成したＢ２バイトのビットを反転させることにより、オーバヘッド送信伝送装置から受信伝送装置で発生した伝送誤りを通知する構成としていたものである。
【００６０】
ＳＯＮＥＴやＳＤＨを用いる伝送システムにおいては、パスの管理を送信元と受信先との間で行うのが基本であるが、図１３で示したように、送信元の伝送装置４０００−１と受信先伝送装置４０００−２へのパスが複数の管理元が異なるネットワークにまたがる場合（本実施形態では、網管理領域１〜３にまたがっている）、管理領域毎にパスを管理して障害発生領域の特定を行う必要があり、ＡＮＳＩ規格のＴ１．１５０やＩＴＵ−Ｔ規格のＧ．７０７で、管理領域の境界（両端）までの複数の伝送装置とラインで連続接続された区間をタンデムコネクションと定義して管理方法を規定したものである。具体的には、図１のフレーム構成図で示したペイロード内に含まれる複数個のパスオーバヘッドＰＯＨの１つを用いるもので、伝送誤りについては、３行目にあるパスの誤りを検出するＢ３バイトと９行目にあるタンデムコネクションの管理バイトであるＺ５バイトを用いて、タンデムコネクションの伝送誤りを管理する。一例として、管理領域１のタンデムコネクションの伝送誤り検出について説明すると、伝送装置４００１でＢ３バイトにより送信元伝送装置４０００−１から伝送装置４００１までのパスで発生した誤り数ｌを監視し、この誤り数をＺ５バイトに入れて伝送装置４００２へ送信する。伝送装置４００２では、再びＢ３バイトにより送信元伝送装置４０００−１から伝送装置４００２までのパスで発生した誤り数ｌ‘を監視し、この誤り数ｌ’からＺ５バイトで受信した誤り数ｌを減算することで、タンデムコネクションで発生した誤り数を管理するものである。
【００６１】
本実施形態で説明するオーバヘッドを送受信する伝送装置間の伝送区間で発生した伝送誤りを検出する構成は、図１２（Ａ）で示したように、低速多重化信号のオーバヘッドを通過させる最初の伝送装置２０３０を上記タンデムコネクションの入り口の伝送装置とみなし、低速多重化信号のオーバヘッドを通過させる最後の伝送装置２０３２を上記タンデムコネクションの終端伝送装置とみなして、上記のようなＢ３バイトとＺ５バイトを用いたタンデムコネクションの管理方法を利用して誤り数を伝達する構成である。
【００６２】
具体的には、伝送装置２０３０では、上述した実施形態と同様に低速多重化信号のＢ２バイトを終端後に検出した誤り数（ｊ）を符号化して高速多重化信号のオーバヘッド領域の指定バイトに挿入して明いて伝送装置側の伝送路に送信する（３００１、３００２）。また、本伝送装置２０３０では、上記説明のようにＢ３バイトをチェックして本伝送装置に至るまでに発生したパスにおける誤り数（ｌ）をＺ５バイトに入れて送信する（３００３）。
【００６３】
オーバヘッドを通過させる途中の伝送装置２０３１では、受信した誤り数を通過させる（３００４、３００２）だけで、先の実施形態（図１２（Ｂ）参照）のような伝送装置間のラインで検出したＢ２による誤り数（ｉ）の加算処理は行わない。もちろん、Ｂ２バイトの終端処理（受信側における誤り検出と送信側におけるパリティ生成）は、通常（規格）どうり行われるが、本実施形態で説明するオーバヘッドの通過処理とは独立に処理される。また、Ｂ３バイトとＺ５バイトは、パス間でチェックすれば良いものなので、本伝送装置では主信号として通過させるだけで他の処理（誤り数のチェック等）は不要である。
【００６４】
伝送装置２０３２では、伝送装置２０３０から送られてきた誤り数（ｊ）を抽出する（３００４）。また、上記説明のようにＢ３バイトを再度チェックして本伝送装置に至るまでに発生したパスにおける誤り数（ｌ‘）から受信したＺ５バイトの値（ｌ）を減算して伝送装置２０３０〜２０３２の伝送路（タンデムコネクション）で発生した伝送路誤り数（ｌ’−ｌ：図１２（Ｂ）のｉ＋ｉ‘に等しい誤り数）求める（３００５）。そして、上述した実施形態と同様に受信した誤り数（ｊ）とと上記演算結果（ｌ’−ｌ）を加算して送信側伝送装置から本伝送装置までの伝送区間で発生した誤り数（ｋ‘）を求め（３００１）、生成したＢ２パリティビットをこのｋ’だけ反転させて受信側伝送装置２０３３に送信する（３００６）。
【００６５】
以上のような構成と方法でも、先の実施形態と同様に途中の伝送装置においてＢ２バイトを通過させたと同様になり、オーバヘッドを送受信する伝送装置間の伝送区間で発生した伝送誤りを相手装置に伝えることが可能となる。また、本構成によれば、オーバヘッドを通過させる途中の伝送装置における演算処理が不要となり、最初と最後の伝送装置だけが演算処理を行えば良いので、オーバヘッドを通過させる伝送装置が多くなる区間においてはハードウェアの量が減ることになる。上述した構成（図１２（Ｂ））と本構成（図１２（Ａ））のいずれを用いるかは、ネットワークやシステムの規模に応じて選択すれば良い。
【００６６】
上述したように、多重化装置やＡＤＭに本発明によるオーバヘッドを通過させる機能を備えて伝送網を構築することにより、従来の伝送システムのように網構成の変更により監視保守運用能力が変化することはない。そして、伝送網の任意の伝送装置間で任意のオーバヘッドを送受信することが可能となるので、監視保守運用能力に優れた柔軟性のある伝送網が簡単に実現できる。具体的には、任意の伝送装置間で、オーダワイヤＥ１やＥ２を送受信することで保守者の音声による通話ができる。また、データコミュニケーションチャネルＤ１〜１２を送受信することで伝送装置の各種設定等が可能となり構成変更が容易にでき柔軟性のある伝送網が構築できる。特に、ＳＯＮＥＴにおいては、網管理装置等からＤ１〜１２を送信して各伝送装置の設定を行う構成であるが、本発明のような途中の伝送装置を通過させる構成を用いれば、従来の装置では伝送装置毎に一旦終端してまた送信するというような伝送装置の制御部が介在する複雑な処理を行わなくても対象とする伝送装置まで設定に必要なデータを簡単に送れるようになり、伝送網の保守運用管理に極めて有効である。さらに、伝送路の切替制御バイトであるＫ１とＫ２を送受信することで、伝送装置間で矛盾のない伝送路選択が実行可能となるので、伝送路に障害が発生した場合の網構成を速やかに変更したり再構成できるようになり、伝送網の保守運用管理に有効である。そして、伝送誤りについては、伝送装置間でＢ２バイトを直接転送させることはできないが、発生した誤り数を検出して確実に通知する構成としたので、伝送装置間においては、途中に伝送装置がなく直結した場合にＢ２バイトを送受信した場合と等価な伝送区間における誤り率の管理が可能となる。尚、図３で示した他のオーバヘッドも上記説明したオーバヘッドと同様に転送することで伝送装置間の監視保守運用に利用できることはもちろんである。
【００６７】
また、本発明では、上述したような規格で規定された多重化信号のオーバヘッド領域の未使用バイトを選択して、この選択された未使用バイトに伝送装置を通過させるオーバヘッドを挿入して送信する構成である。すなわち、伝送網やシステムにおいて予め使用するバイトを決めてから送受信したり、あるいは、先に説明したデータコミュニケーションチャネルを用いて使用するバイトの設定を変更して送受信することが可能であり、伝送装置の数や監視保守運用情報量に応じて空きバイトがある限り伝送網内で自由な設定ができるので、網構成や監視保守運用方法が変更、あるいは、今後の規格の変更が生じても、これらに柔軟に対応できる監視保守運用能力に優れた伝送装置および伝送網が提供できる。
【００６８】
【発明の効果】
本発明の多重化伝送装置と伝送網によれば、従来の伝送装置では装置毎に終端されていた監視保守運用にかかわる情報を送受信するオーバヘッドを網内の所望の伝送装置間で送受信できるようになるので、網構成の変更や監視保守運用方法に依存しない監視保守運用能力に優れた伝送装置および伝送網が提供できる。
【図面の簡単な説明】
【図１】低速多重化信号（ＯＣ−１２）の構成を示すフレーム構成図である。
【図２】高速多重化信号（ＯＣ−１９２）の構成を示すフレーム構成図である。
【図３】多重化信号のオーバヘッドの機能を示す機能説明図である。
【図４】伝送網の構成とオーバヘッド処理区間を説明する網構成図である。
【図５】本発明による伝送装置（多重化装置）の構成を示すブロック構成図である。
【図６】同じく、オーバヘッド通過の様子を説明するオーバヘッド構成図である。
【図７】同じく、オーバヘッド通過の様子を説明するオーバヘッド構成図である。
【図８】オーバヘッド（Ｂ２バイト）の計算領域を示す動作説明図である。
【図９】本発明による伝送装置を使用した伝送網の構成を示す網構成図である。
【図１０】本発明による別の伝送装置（ＡＤＭ）の構成を示すブロック構成図である。
【図１１】同じく、別の伝送装置を使用した伝送網の構成を示す網構成図である。
【図１２】本発明による伝送装置を使用した伝送網におけるタンデムコネクションを用いた伝送誤り検出の構成を説明する動作説明図である。
【図１３】同じく、タンデムコネクションを用いる伝送網の構成を示す網構成図である。
【符号の説明】
１０−１〜Ｍ・・・低速信号送信／受信処理ユニット、
１１・・・高速信号送信／受信処理ユニット、
２０−１〜Ｍ・・・低速信号セクションオーバヘッド終端部、
３０−１〜Ｍ・・・低速信号ラインオーバヘッド終端部、
４０・・・高速信号ラインオーバヘッド挿入部、
５０・・・高速信号セクションオーバヘッド挿入部、
６０・・・高速信号セクションオーバヘッド終端部、
７０・・・高速側信号ラインオーバヘッド終端部、
８０−１〜Ｍ・・・低速信号ラインオーバヘッド挿入部、
９０−１〜Ｍ・・・低速信号セクションオーバヘッド挿入部、
１００・・・主信号多重分離変換部、        １０５・・・主信号挿入分離部、
１１０、１３０・・・オーバヘッド多重化部、
１２０、１４０・・・オーバヘッド分離部、  ２００、２１０・・・スイッチ部
３００・・・オーバヘッド処理部、          ４００・・・制御部
１０００〜１００４、１１００〜１１０７・・・通過オーバヘッド、
１２００〜１２０８・・・通過オーバヘッド、
２０００〜２０３３・・・伝送装置、
３０００〜３００６・・・伝送誤り処理部、
ＯＣ−１２、  ＯＣ−１９２・・・多重化伝送路。
【図１】
0003635083.tif 000002
【図２】
0003635083.tif 000003
【図３】
0003635083.tif 000004
【図４】
0003635083.tif 000005
【図５】
0003635083.tif 000006
【図６】
0003635083.tif 000007
【図７】
0003635083.tif 000008
【図８】
0003635083.tif 000009
【図９】
0003635083.tif 000010
【図１０】
0003635083.tif 000011
【図１１】
0003635083.tif 000012
【図１２】
0003635083.tif 000013
【図１３】
0003635083.tif 000014